(57)【要約】      （修正有）【課題】  深いほぞ穴を形成するのに時間がかからず、作業性が良い角ノミ加工機を提供する。【解決手段】  角ノミ９，１５を横架材２３に押付けながらドリル１０，１６で穴あけをするが、エアー供給口２４ａよりエアーを供給することにより振動を発生するエアー振動機２４が上部ヘッド６の上面のドリル１１、１２の上部の支柱２から離れた位置に装着され、又、下部ヘッド７の下面に同様にエアー供給口２５ａよりエアーを供給することにより、振動を発生するエアー振動機２５がドリル１７、１８の下部の支柱２から離れた位置に装着されている。【選択図】        図１
2005096083.tif 000002
【特許請求の範囲】
【請求項１】
ベース台と、ベース台の上で前後左右に移動する支柱と、該支柱の側面で上下に移動可能に構成された上部ヘッドと、該上部ヘッドを上下するために、前記支柱の上部に装着された第１のシリンダと、前記上部ヘッドの下面に装着された支持枠に一体に固着された角ノミと、該角ノミの中心を通るドリルと、該ドリルを回転するモータと、前記上部ヘッドの上部に装着されたエヤー振動機とからなることを特徴とする角ノミ加工機。
【請求項２】
前記上部ヘッドの下方に前記支柱の上部に装着された第２のシリンダで上下に移動するように、角ノミと、ドリルと、エヤー振動機を装着した下部ヘッドを設けたことを特徴とする請求項１記載の角ノミ加工機。
【請求項３】
前記上部ヘッド及び下部ヘッドにそれぞれ径の異なる第２、第３のドリルを装着することを特徴とする請求項１又は２のいずれか１項記載の角ノミ加工機。
【発明の詳細な説明】
【技術分野】
【０００１】
本発明は、横架材にほぞ穴を容易に加工することができる角ノミ加工機に関するものである。
【背景技術】
【０００２】
従来、この角ノミ加工機としては、図３及び図４に示すように、ベース台１の上に前後左右に移動可能に装着された支柱２の前面にレール３が縦に装着され、このレール３の上部及び下部にそれぞれ移動可能にベアリング４、５が装着され、ベアリング４は上部ヘッド６に固着され、ベアリング５は下部ヘッド７に固着され、上部ヘッド６の下面に支持枠８が装着され、この支持枠８に角ノミ９が装着され、この角ノミ９の中心を通過するようにドリル１０が装着され、又、上部ヘッド６にドリル１１、１２が下方に突出するように装着され、これらのドリル１０、１１、１２は上部ヘッド６の上部に装着されたモータ１３で回転すように構成されている。
【０００３】
又、下部ヘッド７の上部に支持枠１４が装着され、この支持枠１４に角ノミ１５が装着され、この角ノミ１５の中心を通過するようにドリル１６が装着され、又、下部ヘッド７の上部にドリル１７、１８が突出するように装着され、これらのドリル１６、１７、１８は下部ヘッド７の下部に装着されたモータ１９によって回転されており、さらに、支柱２の上部に固着された支持板２０に装着されたシリンダ２１によって上部ヘッド６が上下に移動するに構成され、又、支柱２の上部に固着された支持板２０に装着されたシリンダ２２によって下部ヘッド７が上下に移動するように構成されている。
【０００４】
このように構成された従来の角ノミ加工機では、支柱２の上部に装着されたシリンダ２１、２２で上部ヘッド６及び下部ヘッド７を移動することにより、角ノミ９、１５をそれぞれ横架材２３の加工位置に押し付けてそれぞれの角ノミ９、１５を通過するドリル１０、１６によってボーリングしながらほぞ穴を形成するように構成している。
【０００５】
しかしながら、このように構成した従来の角ノミ加工機では、角ノミ９、１５をそれぞれ横架材２３に押し付けながらドリル１０、１５でボーリングしてほぞ穴を形成しているので、所定のほぞ穴を形成するのに時間がかかり、作業性が悪いという問題がある。
【発明の開示】
【発明が解決しようとする課題】
【０００６】
解決しようとする問題点は、角ノミ９、１５をそれぞれ横架材２３に押し付けながらドリル１０、１５でボーリングしてほぞ穴を形成しているので、深さのほぞ穴を形成するのに時間がかかり、作業性が悪いという点である。
【課題を解決するための手段】
【０００７】
本発明は、上部ヘッド及び下部ヘッドにそれぞれ振動を与えるエアー振動機を装着することにより、このエアー振動機で与えられた振動により、それぞれの角ノミをハンマーで叩くように作用する。
【発明の効果】
【０００８】
本発明の角ノミ加工機は、エアー振動機の振動により、角ノミはスムーズに横架材に入り、それと同時にドリルで角ノミの周囲をボーリングしていくので、ほぞ穴がスムーズに形成され、ほぞ穴を形成する時間が短縮される。
【発明を実施するための最良の形態】
【０００９】
支柱に沿ってそれぞれ上下する上部ヘッドの上部及び下部ヘッドの下部のそれぞれ支柱から離れた位置にエアー振動機を装着することにより、エアー振動機の振動で上部ヘッド及び下部ヘッドがそれぞれ大きく振動するように構成されている。
【実施例１】
【００１０】
図１は、本発明の角ノミ加工機の側面図、図２は図１の角ノミ加工機の平面図で、１はベース台、２は支柱、３はレール、４、５はベアリング、６は上部ヘッド、７は下部ヘッド、８は支持枠、９は角ノミ、１０、１１、１２はドリル、１３はモータ、１４は支持枠、１５は角ノミ、１６、１７、１８はドリル、１９はモータ、２０は支持板、２１、２２はシリンダ、２３は横架材であり、これらの構成は上記従来例と同じであるので説明は省略するが、本実施例では、エアー供給口２４ａよりエアーを供給することにより振動を発生するエアー振動機２４が上部ヘッド６の上面のドリル１１、１２の上部の支柱２から離れた位置に装着され、又、下部ヘッド７の下面に同様にエアー供給口２５ａよりエアーを供給することにより、振動を発生するエアー振動機２５がドリル１７、１８の下部の支柱２から離れた位置に装着されており、又、このエヤー振動機２４、２５は、供給されたエヤーによって振動を発生するものである。
【００１１】
このように構成された本実施例の角ノミ加工機では、シリンダ２１、２２で角ノミ９、１５を横架材２３に押し付けて押し込むとともに、エヤー供給口２４ａ、２５ａよりエヤーを供給してエヤー振動機２４、２５がそれぞれ振動すると、この振動によって角ノミ９、１５がシリンダ２１、２２の駆動軸の駆動とともにスムーズに横架材２３に押し込まれるので、角ノミ９、１５の中心を通るドリル１０、１６が回転することにより、横架材２３にほぞ穴がスムーズに形成され、作業時間が短くなる。
【００１２】
ドリル１１、１２、１７、１８は横架材２３に穴を開ける時に用いるもので、これらのドリル１１、１２、１７、１８を使用する場合は、エヤー振動機２４、２５は使用しない。
【産業上の利用可能性】
【００１３】
なお、上記実施例では、エヤーを供給することによって振動を発生するエヤー振動機を使用する例を説明したが、エヤーによる振動機だけではなく、大きな振動が出力されるものであれば、電磁振動機やモータの回転による振動機又は他の振動機を使用することができる。
【図面の簡単な説明】
【００１４】
【図１】図１は本発明の実施例の角ノミ加工機の側面図である。
【図２】図２は図１の角ノミ加工機の平面図である。
【図３】図３は従来の角ノミ加工機の側面図である。
【図４】図４は図３の角ノミ加工機の平面図である。
【符号の説明】
【００１５】
１                  ベース台
２                  支柱
３                  レール
４、５              ベアリング
６                  上部ヘッド
７                  下部ヘッド
８                  支持枠
９                  角ノミ
１０、１１、１２    ドリル
１３                モータ
１４                支持枠
１５                角ノミ
１６、１７、１８    ドリル
１９                モータ
２０                支持板
２１、２２          シリンダ
２３                横架材
２４、２５          エアー振動機
【図１】
2005096083.tif 000003
【図２】
2005096083.tif 000004
【図３】
2005096083.tif 000005
【図４】
2005096083.tif 000006